(57)【要約】【課題】本発明は、特殊な工具無しに、かつ迅速に取り外しができるサービスプラグの保護カバーを提供することを目的とする。【解決手段】サービスプラグ１３の保護カバー２は、保護カバー本体２１と、ボルト１４に組み付けられるナット１５により固定される固定部２２，２３と、固定部の端まで延びて固定部外に解放されている長手状のボルト孔部２４とを備える。保護カバーは、固定部から立ち上がり、第１方向（−Ｘ方向）に延びて電池パックと係合し、保護カバーを位置決めする係合部２５とを備える。保護カバーが第２方向（＋Ｘ方向）へ力を受けて第２方向へ移動すると、係合部が電池パックとの係合を解除するとともにボルトがボルト孔部から抜け、保護カバーが電池パックから取り外し可能となる。【選択図】図１
2013164993.tif 000002
【特許請求の範囲】
【請求項１】
電池パックのサービスプラグの保護カバーであって、
前記サービスプラグを覆う保護カバー本体と、
前記保護カバー本体に接続しかつ前記電池パックの外面に当接する固定部であって、前記電池パックから突出するボルトに組み付けられるナットにより、前記電池パックの外面に押さえつけられて固定される固定部と、
前記固定部の端まで延びて前記固定部外に解放されている長手状のボルト孔部であって、前記ボルトが通るボルト孔部と、
前記固定部から前記電池パックの外面側に立ち上がり、前記ボルト孔部の延び方向と平行な方向における前記ボルト孔部側の方向である第１方向に延びて前記電池パックと係合し、前記保護カバーを位置決めする係合部とを備え、
前記ナットおよび前記係合部により固定されている前記保護カバーが前記第１方向と反対の第２方向へ力を受けて前記第２方向へ移動すると、前記係合部が前記電池パックとの係合を解除するとともに前記ボルトが前記ボルト孔部から抜け、前記保護カバーが前記電池パックから取り外し可能となる
ことを特徴とするサービスプラグの保護カバー。
【発明の詳細な説明】
【技術分野】
【０００１】
本発明は、サービスプラグの保護カバーに関する。
【背景技術】
【０００２】
電池パックには、電池パックから取り外されることにより電池パックの出力を遮断するサービスプラグが設けられている（例えば、特許文献１）。電池パックにおいて、サービスプラグに簡単にアクセスできないように、また、メンテナンス時におけるサービスプラグの脱落を防止するために、サービスプラグを覆う保護カバーが設けられることがある。
【０００３】
図３は、従来の保護カバー２Ａの固定構造を示す断面図である。
従来の保護カバー２Ａには、サービスプラグ１３を覆う保護カバー本体２１を挟むように板状の固定部２２，２３が設けられ、各固定部２２，２３には円状のボルト孔部２４Ａが形成される。保護カバー２Ａを電池パック１Ａに固定するには、まず固定部２２，２３の各ボルト孔部２４Ａに、電池パック１Ａから突出するスタッドボルト１４を通す。続いて各スタッドボルト１４にナット１５を嵌め、該ナット１５を締めることにより保護カバー２Ａを電池パック１Ａに固定する。なお、図３中、１１は単電池群やそのリレー等からなる電池本体、１２は電池本体１１を内部に収納する電池カバーである。
【先行技術文献】
【特許文献】
【０００４】
【特許文献１】特開平０９−１０４２３９号公報
【発明の概要】
【発明が解決しようとする課題】
【０００５】
しかしながら、従来の保護カバー２Ａは、ソケットレンチ等の特殊な工具がなければ該保護カバー２Ａを固定するナット１５を緩めることができず、取り外しが難しいという問題がある。また、従来の保護カバー２Ａは、取り付けおよび取り外しの際に２か所のナット１５を締めるまたは緩める必要があり、取り付けおよび取り外しに時間がかかるという問題もある。
【０００６】
本発明は、特殊な工具無しに、かつ迅速に取り外しができるサービスプラグの保護カバーを提供することを目的とする。
【課題を解決するための手段】
【０００７】
上記課題を解決するために、本発明に係る保護カバーは、電池パックのサービスプラグの保護カバーであって、前記サービスプラグを覆う保護カバー本体と、前記保護カバー本体に接続しかつ前記電池パックの外面に当接する固定部であって、前記電池パックから突出するボルトに組み付けられるナットにより、前記電池パックの外面に押さえつけられて固定される固定部と、前記固定部の端まで延びて前記固定部外に解放されている長手状のボルト孔部であって、前記ボルトが通るボルト孔部と、前記固定部から前記電池パックの外面側に立ち上がり、前記ボルト孔部の延び方向と平行な方向における前記ボルト孔部側の方向である第１方向に延びて前記電池パックと係合し、前記保護カバーを位置決めする係合部とを備え、前記ナットおよび前記係合部により固定されている前記保護カバーが前記第１方向と反対の第２方向へ力を受けて前記第２方向へ移動すると、前記係合部が前記電池パックとの係合を解除するとともに前記ボルトが前記ボルト孔部から抜け、前記保護カバーが前記電池パックから取り外し可能となることを特徴とする。
【０００８】
本発明では、保護カバーを電池パックから取り外す際に、保護カバーをハンマー等により第２方向へ打撃する等し、保護カバーに第２方向へ力を作用させる。すると、保護カバーが第２方向に移動し、該移動に伴い、係合部が電池カバーとの係合を解除するとともにボルトがボルト孔部に対し相対的に第１方向へ移動し、ボルトがボルト孔部から抜ける。このため、保護カバーが電池パックから取り外し可能となる。このように、本発明では、ハンマー等の汎用な道具を用いる等して保護カバーに第２方向へ力を作用させるだけで、保護カバーを電池パックから取り外すことができるので、利便性が良好である。また、保護カバーを取り外すのに保護カバーに第２方向へ力を作用させるだけでよいので、複数箇所のナットを緩める必要がある従来に比べ、保護カバーを迅速に取り外すことができる。
【図面の簡単な説明】
【０００９】
【図１】保護カバーの構造を示す断面図である。
【図２】保護カバーの裏面側の平面図である。
【図３】従来の保護カバーの固定構造を示す断面図である。
【発明を実施するための形態】
【００１０】
以下、本発明に係る実施形態について図面を参照しながら説明する。
図１は、保護カバー２の構造を示す断面図である。まず、保護カバー２が取り付けられる電池パック１について説明する。電池パック１は、電気自動車やハイブリッド電気自動車用のものであるが、他の用途に用いられてもよい。電池パック１は、電池本体１１と、電池本体１１を内部に収容する電池カバー１２と、電池本体１１の出力を遮断するためのサービスプラグ１３とを備える。
【００１１】
電池本体１１からは、パワーケーブルにより出力が取り出される。電池本体１１は、直列に接続された複数の単電池群と、単電池群とパワーケーブルとの間にあり単電池群とパワーケーブルとを接続および遮断するリレーと、を備える。単電池は、ニッケル―水素二次電池やリチウムイオン二次電池等の非水電解質二次電池、またはキャパシタであってもよい。リレーは、単電池群の長手方向一端側に設けられる。図１の＋−Ｘ方向は、電池群の長手方向に沿った方向である。＋Ｘ方向は、電池群の長手方向に沿った方向のうち、電池群から離隔する方向であり、−Ｘ方向は、電池群に近接する方向である。＋Ｙ方向は、＋−Ｘ方向と直交する方向であり、図１の紙面奥行き方向である。−Ｙ方向は、図１の紙面手前方向である。ＸＹ方向と直交する＋−Ｚ方向のうち＋Ｚ方向は電池本体１１から離隔する方向であり、−Ｚ方向は電池本体１１に近接する方向である。
【００１２】
電池カバー１２は、電池本体１１を内部に収容する。電池カバー１２の図１に示す部分は、電池本体１１のリレーを収容する部分である。電池カバー１２には、サービスプラグ１３（またはサービスプラグ１３が接続するソケット部）が貫通するプラグ用開口部１２１が形成される。また、電池カバー１２において、プラグ用開口部１２１から＋Ｘ方向に離れた位置には、電池カバー１２を貫通する貫通孔部１２２が形成される。貫通孔部１２２の紙面垂直方向である＋−Ｙ方向の幅は、後述する係合部２５の＋−Ｙ方向の幅より大きい。貫通孔部１２２の＋−Ｘ方向の長さは、後述する係合部２５の爪部２５２の＋−Ｘ方向の長さより大きい。
【００１３】
電池カバー１２において、プラグ用開口部１２１から−Ｘ方向に離れた位置には孔部１２３がある。孔部１２３には、スタッドボルト１４の一端側が貫通する。スタッドボルト１４の他端側は、電池本体１１に形成されたネジ穴にねじ込まれる。孔部１２３と貫通孔部１２２とは、＋−Ｙ方向において同一座標位置にある（＋−Ｘ方向に延びる同一直線上にある）。電池カバー１２は、単電池群を内部に収容する部分と、リレーを内部に収容する部分とが別体となっていてもよい。電池カバー１２は金属製である。
【００１４】
サービスプラグ１３は、単電池群の中間に接続する。サービスプラグ１３は、ソケット部に挿入されている。サービスプラグ１３をソケット部から引き抜くことで、単電池群を含む高電圧回路が遮断され、電池本体１１の出力が遮断される。サービスプラグ１３は、少なくとも一部が電池カバー１２の外部に位置する。サービスプラグ１３には、回動可能なグリップ部１３１が設けられている。サービスプラグ１３をソケット部から引き抜く際には、このグリップ部１３１を＋Ｚ方向に立てて摘まみながらサービスプラグ１３を引き抜く。
【００１５】
保護カバー２は、＋−Ｘ方向に延びた長手状であり、金属製である。保護カバー２は、保護カバー本体２１、固定部２２、２３、ボルト孔部２４、および係合部２５を備える。保護カバー本体２１は、−Ｚ方向の一面が開いた箱状であり、サービスプラグ１３を覆う。
保護カバー本体２１の−Ｘ方向側の外面２１１は、平面であり、該外面２１１のうち、固定部２２上に載置される後述するナット１５よりも＋Ｚ方向側に突出する領域Ａは、打撃受け部２１２となっている。打撃受け部２１２は、保護カバー２を取り外す際にハンマー等による打撃を受ける部分である。
【００１６】
固定部２２、２３は、電池カバー１２と平行に延びる平板状であり、保護カバー本体２１を＋−Ｘ方向に挟む位置で保護カバー本体２１に接続する。保護カバー本体２１の−Ｘ方向側にある固定部２２には、＋−Ｘ方向に延びる長手状のボルト孔部２４が形成される。ボルト孔部２４は、固定部２２の−Ｘ方向端まで延びて固定部２２外に解放される。固定部２２は、ボルト孔部２４を通るスタッドボルト１４に組み付けられるナット１５により、電池カバー１２の外面に押さえつけられて固定される。
【００１７】
係合部２５は、固定部２３から電池カバー１２の外面側に立ち上がり、−Ｘ方向（第１方向）に延びている。係合部２５とボルト孔部２４とは、図２に参照されるように、＋−Ｙ方向において同一座標位置にある（＋−Ｘ方向に延びる同一直線Ｌ上にある）。
【００１８】
係合部２５は、立ち上がり部２５１と爪部２５２とを備える。立ち上がり部２５１は、平板状であり、固定部２３から−Ｘ方向側へ立ち上がって−Ｘ方向側へ傾斜する。爪部２５２は、立ち上がり部２５１と接続し、かつ立ち上がり部２５１が貫通孔部１２２に差し込まれた状態において電池カバー１２の裏面と対向する。
【００１９】
爪部２５２は、固定部２３と平行に延び、立ち上がり部２５１との間の角度θが鈍角となる。爪部２５２は、立ち上がり部２５１の先端を、後述する打撃方向（＋Ｘ方向）と反対方向（−Ｘ方向）に折り曲げることにより形成される。
【００２０】
保護カバー２を電池パック１に取り付ける際には、まず、電池カバー１２の貫通孔部１２２に保護カバー２の係合部２５を差し込みながら、ボルト孔部２４にスタッドボルト１４を差し込む。次に、保護カバー２を−Ｘ方向に移動させ、スタッドボルト１４をボルト孔部２４の＋Ｘ方向奥側まで差し込むとともに、係合部２５を根元まで貫通孔部１２２に差し込む。最後に、スタッドボルト１４にナット１５を嵌めナット１５を締める。これにより、保護カバー２の−Ｘ方向側は、ナット１５により電池カバー１２に押さえつけられて固定される。
【００２１】
保護カバー２の＋Ｘ方向側は、係合部２５の立ち上がり部２５１が貫通孔部１２２に差し込まれた状態であることにより、電池カバー１２の外面に沿った方向（ＸＹ平面方向）への移動が規制される。また、保護カバー２の＋Ｘ方向側は、係合部２５の爪部２５２が電池カバー１２の裏面と対向する姿勢に位置付けられることにより、電池カバー１２の外面部分と垂直な方向（＋Ｚ方向）への移動が規制される。すなわち、保護カバー２の＋Ｘ方向側は、係合部２５により位置決めされる。
【００２２】
このように、保護カバー２を電池パック１に取り付ける際に、従来では２カ所のナット１５を締める必要があるのに対し、本実施形態ではナット１５を一カ所のみ締めればよいので、その分、保護カバー２の取り付けを容易にできる。
【００２３】
保護カバー２を電池パック１から取り外す際には、保護カバー本体２１の−Ｘ方向側の面２１１において、ナット１５よりも＋Ｚ方向側に位置する部分２１２をハンマー等により＋Ｘ方向側に打撃する。すると、該打撃により、ナット１５によって押さえつけられていた保護カバー２の固定部２２が打撃方向である＋Ｘ方向に移動する。また、保護カバー２の＋Ｘ方向側への移動に伴って、係合部２５が貫通孔部１２２の縁に乗り上げながら＋Ｘ方向へ移動する。
【００２４】
保護カバー２がさらに＋Ｘ方向側へ移動すると、スタッドボルト１４がボルト孔部２４から抜けるとともに固定部２２がナット１５下から離脱し、ナット１５による固定部２２への押さえ付けが解除される。また、＋Ｘ方向側への保護カバー２の前記さらなる移動により、係合部２５は、貫通孔部１２２の縁にさらに乗り上げ、爪部２５２が貫通孔部１２２から抜けた後、係合部２５は電池カバー１２の外面に乗り上げることとなる。これにより、係合部２５と電池カバー１２との係合は解除される。従って、保護カバー２は、＋−Ｘ方向両側の電池カバー１２との固定および係合が解除されるので、電池パック１から取り外し可能となる。
【００２５】
このように、本実施形態では、保護カバー２をハンマー等の汎用な道具により打撃するだけで電池パック１から取り外すことができるので、利便性が良好である。また、保護カバー２を取り外すのに保護カバー２を打撃するだけでよいので、保護カバー２を取り外すのに２箇所のナット１５を緩める必要がある従来に比べ、保護カバー２を迅速に取り外すことができる。
【符号の説明】
【００２６】
１…電池パック、２…保護カバー、１３…サービスプラグ、１４…ボルト（スタッドボルト）、１５…ナット、２１…保護カバー本体、２２、２３…固定部（第１、第２固定部）、２４…ボルト孔部、２５…係合部、−Ｘ…第１方向、＋Ｘ…第２方向。
【図１】
2013164993.tif 000003
【図２】
2013164993.tif 000004
【図３】
2013164993.tif 000005